(57)【要約】【課題】申請者が行う申請手続きで規定されている顔写真の要件を満たす顔写真画像を撮影できる自動証明写真機を提供する。【解決手段】自動証明写真機２は，申請者６が行った申請手続きを少なくとも示す電子申請ＩＤをエンコードした光学コード画像を読み取る光学コードリーダ２１と，顔写真画像を撮影するデジタルカメラ２２と，光学コードリーダ２１が光学コード画像から読み取った電子申請ＩＤを，顔写真画像に求められる要件を定義した写真要件データを申請手続きごとに記憶している電子申請管理装置３へ送信し，電子申請ＩＤで示される申請手続きの写真要件データを装置から取得した後，電子申請管理装置３から取得した写真要件データを満たす顔写真画像を撮影する処理を実行する撮影制御手段２０を備えている。【選択図】図３
2019061576.tif 000002
【特許請求の範囲】
【請求項１】
申請者と申請者が行った申請手続きを示す電子申請ＩＤをエンコードした光学コード画像を読み取る光学コードリーダと，申請者の顔写真画像を撮影するデジタルカメラと，前記光学コードリーダが前記光学コード画像から読み取った前記電子申請ＩＤを，顔写真画像に求められる要件を記した写真要件データを申請手続きごとに記憶している装置へ送信し，前記電子申請ＩＤで示される申請手続きの前記写真要件データを装置から取得した後，前記装置から取得した前記写真要件データを満たす顔写真画像を撮影する処理を実行する撮影制御手段を，
備えたことを特徴とする自動証明写真機。
【請求項２】
前記撮影制御手段は，顔写真画像に含まれる顔画像に求められる要件を記した顔画像要件が前記写真要件データに含まれる場合，前記デジタルカメラを用いて撮影した顔写真画像から顔画像を検出し，顔写真画像から検出した顔画像が前記顔画像要件を全て満たしているか判定する処理を実行する，
ことを特徴とする請求項１に記載した自動証明写真機。
【請求項３】
前記撮影制御手段は，顔写真画像から検出した顔画像が満たしていない要件が前記顔画像要件にある場合，この要件の内容を申請者に通知してから，前記写真要件データを満たす顔写真画像を撮影する処理を再実行する，
ことを特徴とする請求項２に記載した自動証明写真機。
【請求項４】
前記撮影制御手段は，顔写真画像に付加するメタデータを示すメタデータ要件が前記写真要件データに含まれる場合，前記メタデータ要件で示されるメタデータを顔写真画像に付加する処理を実行する，ことを特徴とする請求項１から請求項３のいずれか一項に記載した自動証明写真機。
【請求項５】
前記撮影制御手段は，前記メタデータ要件で示されるメタデータを電子透かしの形式で顔写真画像に付加する，
ことを特徴とする請求項４に記載した自動証明写真機。
【請求項６】
前記メタデータ要件で示されるメタデータに撮影日時を含ませ，前記撮影制御手段は，顔写真画像の撮影日時を顔写真画像に付加する，
ことを特徴とする請求項４または請求項５に記載した自動証明写真機。
【請求項７】
前記メタデータ要件で示されるデータに顔の特徴量を含ませ，前記撮影制御手段は，顔写真画像に含まれる顔の特徴量を顔写真画像に付加する，
ことを特徴とする請求項４から請求項６のいずれか一項に記載した自動証明写真機。
【請求項８】
申請者が所持する携帯端末と，申請者の顔写真画像の撮影に用いる自動証明写真機と，前記自動証明写真機で撮影された申請者の顔写真画像が登録される電子申請管理装置と，から少なくとも構成される電子申請システムであって，
前記電子申請管理装置は，申請者と申請者が行った申請手続きを示す電子申請ＩＤに紐付けて，電子申請による申請手続きで申請者が入力した申請者の個人データを保存する処理と，前記電子申請ＩＤをエンコードした光学コード画像を生成し，前記光学コード画像を携帯端末に表示させるためのデータを含むメッセージを前記携帯端末に送信する処理を実行する電子申請管理手段と，顔写真画像に求められる要件を記した写真要件データを申請手続きごとに記憶し，前記自動証明写真機から受信した前記電子申請ＩＤで示される申請手続きの写真要件データを前記自動証明写真機へ送信する処理と，前記写真要件データを送信した前記自動証明写真機から受信した顔写真画像を，前記自動証明写真機から受信した前記電子申請ＩＤに紐付けて登録する処理を実行する顔写真登録管理手段を備え，
前記自動証明写真機は，前記光学コード画像を読み取る光学コードリーダと，申請者の顔写真画像を撮影するデジタルカメラと，前記携帯端末に表示されている前記光学コード画像から前記光学コードリーダが読み取った前記電子申請ＩＤを前記電子申請管理装置へ送信し，前記電子申請ＩＤで示される申請手続きの前記写真要件データを前記電子申請管理装置から取得した後，前記電子申請管理装置から取得した前記写真要件データを満たす顔写真画像を撮影する処理を実行する撮影制御手段を備え，
ていることを特徴とする電子申請システム。
【発明の詳細な説明】
【技術分野】
【０００１】
本発明は，電子申請による申請手続きで用いる顔写真を撮影するための技術に関する。
【背景技術】
【０００２】
入試（「入試」は，「入学試験」の略。）の受験申請などの申請手続きには，紙面の書類を提出する書面申請と，ウェブページを利用して申請手続きを行う電子申請（インターネット申請）の２つの方法があり，近年では，書面申請による申請手続きは減少し，電子申請による申請手続きが増加している。
【０００３】
申請者の顔写真が必要な申請手続きを電子申請で行う場合，申請手続きを行う申請者の属性等を記した個人データに加え，申請者の顔写真をデジタル化した顔写真画像を所定のサーバに送信することが必要になる。
【０００４】
所定のサーバに送信する顔写真画像は何でも良いわけではなく，申請手続きで定めている顔写真の要件を満たす必要がある。申請手続きで用いる顔写真を写真撮影の専門店で行うと，電子申請を行う際，申請者が所持するコンピュータを利用して，写真撮影の専門店で撮影した顔写真画像を送信する作業が必要になるため，顔写真画像の送信に手間がかかるばかりか，顔写真画像の送信ミス（選択ミス）が生じる可能性もある。
【０００５】
これらの問題を解決する一つの手法として，例えば，特許文献１では，街頭や店舗に設置される自動証明写真機を利用して撮影した申請者の顔写真画像を，申請者の顔写真画像を撮影した自動証明写真機から所定のサーバに自動で登録できるようにしたシステムが開示されている。また，申請手続きで定めている顔写真の要件を満たす顔写真画像を撮影する発明としては，例えば，特許文献２において，顔画像の背景になる背景色を選択可能にした自動証明写真機が開示されている。
【先行技術文献】
【特許文献】
【０００６】
【特許文献１】特開２０１５−６９３０７号公報
【特許文献２】特開２０１１−２５９１１２号公報
【発明の概要】
【発明が解決しようとする課題】
【０００７】
しかしながら，特許文献１で開示されている発明は，申請者が電子申請による申請手続きを行ったサーバに，自動証明写真機により撮影した申請者の顔写真画像を自動で登録できるようにするだけで，特許文献１で開示されている発明に係る自動証明写真機は，顔写真の要件を満たす顔写真画像を撮影できるように構成されていない。申請手続きにて規定されている顔写真の要件は共通化されていないため，申請者が行う申請手続きで規定されている顔写真の要件を満たす顔写真画像を自動証明写真機で撮影し，所定のサーバに登録できることが望まれる。
【０００８】
そこで，本発明は，申請者が行う申請手続きで規定されている顔写真の要件を満たす顔写真画像を撮影できる自動証明写真機と，この自動証明写真機を用いた電子申請システムを提供すること目的とする。
【課題を解決するための手段】
【０００９】
上述した課題を解決する第１発明は，申請者と申請者が行った申請手続きを示す電子申請ＩＤをエンコードした光学コード画像を読み取る光学コードリーダと，申請者の顔写真画像を撮影するデジタルカメラと，前記光学コードリーダが前記光学コード画像から読み取った前記電子申請ＩＤを，顔写真画像に求められる要件を記した写真要件データを申請手続きごとに記憶している装置へ送信し，前記電子申請ＩＤで示される申請手続きの前記写真要件データを装置から取得した後，前記装置から取得した前記写真要件データを満たす顔写真画像を撮影する処理を実行する撮影制御手段を備えたことを特徴とする自動証明写真機である。
【００１０】
申請手続きでは，真正面向きの顔画像など，顔写真画像に含まれる顔画像に求められる要件が規定されていることが多いため，前記撮影制御手段は，顔写真画像に含まれる顔画像に求められる要件を記した顔画像要件が前記写真要件データに含まれる場合，前記デジタルカメラを用いて撮影した顔写真画像から顔画像を検出し，顔写真画像から検出した顔画像が前記顔画像要件を全て満たしているか判定する処理を実行することが望ましい。更に，顔写真画像から検出した顔画像が満たしていない要件が前記顔画像要件にある場合，この要件を修正した顔写真画像を撮影できるように，前記撮影制御手段は，顔写真画像から検出した顔画像が満たしていない要件が前記顔画像要件にある場合，この要件の内容を申請者に通知してから，前記写真要件データを満たす顔写真画像を撮影する処理を再実行することがより望ましい。
【００１１】
また，申請手続きでは，撮影日時に係る要件（例えば，半年以内に撮影されたもの）など，顔写真画像のメタデータに係る要件が規定されていることがあるため，前記撮影制御手段は，顔写真画像に付加するメタデータを示すメタデータ要件が前記写真要件データに含まれる場合，前記メタデータ要件で示されるメタデータを顔写真画像に付加する処理を実行することが望ましく，前記メタデータ要件で示されるメタデータを電子透かしの形式で顔写真画像に付加することがより望ましい。前記メタデータ要件で示されるメタデータとしては，撮影日時の他に，顔写真画像に含まれる顔の特徴量が考えられる。
【００１２】
上述した課題を解決する第２発明は，申請者が所持する携帯端末と，申請者の顔写真画像の撮影に用いる自動証明写真機と，前記自動証明写真機で撮影された申請者の顔写真画像が登録される電子申請管理装置とから少なくとも構成される電子申請システムである。前記電子申請管理装置は，申請者と申請者が行った申請手続きを示す電子申請ＩＤに紐付けて，電子申請による申請手続きで申請者が入力した申請者の個人データを保存する処理と，前記電子申請ＩＤをエンコードした光学コード画像を生成し，前記光学コード画像を携帯端末に表示させるためのデータを含むメッセージを前記携帯端末に送信する処理を実行する電子申請管理手段と，顔写真画像に求められる要件を記した写真要件データを申請手続きごとに記憶し，前記自動証明写真機から受信した前記電子申請ＩＤで示される申請手続きの写真要件データを前記自動証明写真機へ送信する処理と，前記写真要件データを送信した前記自動証明写真機から受信した顔写真画像を，前記自動証明写真機から受信した前記電子申請ＩＤに紐付けて登録する処理を実行する顔写真登録管理手段を備える。前記自動証明写真機は，前記光学コード画像を読み取る光学コードリーダと，申請者の顔写真画像を撮影するデジタルカメラと，前記携帯端末に表示されている前記光学コード画像から前記光学コードリーダが読み取った前記電子申請ＩＤを前記電子申請管理装置へ送信し，前記電子申請ＩＤで示される申請手続きの前記写真要件データを前記電子申請管理装置から取得した後，前記電子申請管理装置から取得した前記写真要件データを満たす顔写真画像を撮影する処理を実行する撮影制御手段を備える。
【発明の効果】
【００１３】
上述した本発明によれば，申請者が行う申請手続きで規定されている顔写真の要件を満たす顔写真画像を撮影できる自動証明写真機と，この自動証明写真機を用いた電子申請システムを提供できる。
【図面の簡単な説明】
【００１４】
【図１】本実施形態に係る電子申請システムの構成を説明する図。
【図２】自動証明写真機の内側を説明する図。
【図３】自動証明写真機が備える機能を説明する図。
【図４】電子申請管理装置が備える機能を説明する図。
【図５】電子申請により受験申請手続きを行うときのフローを説明する図。
【図６】自動証明写真機を用いて顔写真を撮影するときのフローを説明する図。
【図７】写真要件データを全て満たす顔写真画像を撮影する処理を説明する図。
【発明を実施するための形態】
【００１５】
ここから，本発明の好適な実施形態を記載する。なお，以下の記載は本発明の技術的範囲を束縛するものでなく，理解を助けるために記述するものである。
【００１６】
図１は，本実施形態に係る電子申請システム１の構成を説明する図である。図１で図示したように，本実施形態に係る電子申請システム１は，携帯端末４，電子申請管理装置３および自動証明写真機２を含み，これらの装置は，それぞれネットワーク５に接続している。
【００１７】
本実施形態に係る電子申請システム１は，申請者６の顔写真を必要とする申請手続きを管理するためのシステムで，申請手続きで定められている顔写真の要件に適合した申請者６の顔写真画像を自動証明写真機２で撮影し，自動証明写真機２で撮影した申請者６の顔写真画像を申請者６の個人データと紐付けて電子申請管理装置３に登録できるように構成されている。
【００１８】
電子申請管理装置３は，自動証明写真機２から送信される申請者６の顔写真画像や申請者６の個人データなどが登録される装置で，電子申請管理装置３が対応している申請手続きごとに，申請手続きで定められている顔写真の要件を示す写真要件データを記憶する。電子申請管理装置３が対応している申請手続きは，申請者６の顔写真を必要とする申請手続きで，申請者６の顔写真を必要とする申請手続きは任意でよいが，本実施形態では，学校（例えば，大学）の入試に係る受験申請手続きとしている。なお，このような申請手続きとしては，受験申請手続き以外に，各種資格の交付申請手続き，各種免状の交付・更新申請手続きなどが想定できる。
【００１９】
申請手続きで定められている顔写真の要件には，顔写真画像の画像サイズを規定するサイズ要件と，顔写真画像に含まれる顔画像に求められる要件が記された顔画像要件が含まれる。顔画像要件には，撮影時の要件（無帽，正面顔，装飾品の禁止，笑顔の禁止）や，顔写真画像に含まれる顔画像のサイズに係る要件を含ませることができる。上述した要件以外に，顔写真画像に付加するメタデータを指定するメタデータ要件や，顔画像の背景を規定する背景要件を顔写真の要件に含ませることができる。なお，顔写真画像に付加するメタデータとしては，顔写真画像の撮影日時が一般的である。
【００２０】
自動証明写真機２は，顔写真の撮影に用いられる装置で，受験申請手続きを行う申請者６の顔写真を撮影する際，電子申請により申請者６が行った受験申請手続きに対応する写真要件データを電子申請管理装置３から取得して，顔写真の要件を満足する顔写真画像を撮影する。自動証明写真機２が撮影した顔写真画像は，自動証明写真機２から電子申請管理装置３に送信され，顔写真の要件に満足している顔写真画像は，顔写真画像に対応する申請者６の個人データと紐付けられて電子申請管理装置３に登録される。
【００２１】
申請者６の顔写真を撮影する際，自動証明写真機２が，電子申請により申請者６が行った受験申請手続きに対応する写真要件データを電子申請管理装置３から取得するのは，受験申請手続きを行う学校により顔写真の要件（例えば，サイズ要件）が異なるからである。なお，入試会場では，顔写真を用いた本人照合が行われるため，受験申請手続き用の顔写真画像のメタデータには，顔写真画像の撮影日時に加えて，顔写真画像に含まれる顔の特徴量を含ませることが好適である。
【００２２】
携帯端末４は，申請者６と申請者６が行った受験申請手続きを示す電子申請ＩＤをエンコードした光学コード画像が電子申請管理装置３から送信される装置で，電子申請管理装置３から送信された光学コード画像は，申請者６の顔写真を撮影する際，自動証明写真機２によって読み取られる。
【００２３】
ここから，本実施形態に係る電子申請システム１に含まれる各装置について詳細説明を行う。
【００２４】
まず，本実施形態に係る電子申請システム１に含まれる携帯端末４について説明する。携帯端末４は，無線によるネットワーク通信機能とディスプレイを有し，電子申請管理装置３に申請者６が受験申請手続きを行った後，申請者６が行った受験申請手続き等を示す電子申請ＩＤが電子申請管理装置３から送信される装置で，図１では，携帯端末４をスマートフォンとして図示している。携帯端末４には，本実施形態に係る電子申請システム１で必要なソフトウェアが予めインストールされる。このソフトウェアには，汎用のブラウザ，汎用のコミュニケーションツール（例えば，メールソフト）などに加え，自動証明写真機２用のアプリケーションを含ませることができる。
【００２５】
自動証明写真機２について説明する。自動証明写真機２は，貨幣を投入することで証明写真の撮影が行える装置で，その形状はボックス型が一般的である。自動証明写真機２は街頭や店舗に設置され，図１で図示しているように，自動証明写真機２の外側には，自動証明写真機２が撮影した写真を出力する写真取出口２７０と，外部からの光を遮断する遮光カーテン２９が設けられている。
【００２６】
図２は，自動証明写真機２の内側を説明する図である。自動証明写真機２の内側には撮影スペース２ａが設けられる。撮影スペース２ａを囲う一つのパネルには，自動証明写真機２の利用者（ここでは，申請者６になる）が撮影料金を投入する貨幣投入口２５０，撮影用の照明光を撮影スペース２ａ内に照射するための光源窓２６０，自動証明写真機２を利用する申請者６の顔を投影するハーフミラー窓２２０，入力装置とディスプレイの機能を兼ねたタッチパネル２３，操作説明などの音声を出力するためのスピーカ２４，光学コード画像を光学的に読み取る光学コードリーダ２１が設けられている。また，撮影スペース２ａの床には，顔の位置をハーフミラー窓２２０の高さに合せられる高さ調節機能の付いた椅子２８が設けられている。
【００２７】
図３は，自動証明写真機２が備える機能を説明する図である。自動証明写真機２は，タッチパネル２３，スピーカ２４，貨幣投入口２５０より投入された貨幣を自動で計測する貨幣計測機２５，光学コードリーダ２１，撮影用の照明光を発光する光源装置２６，ハーフミラー窓２２０を介して申請者６を撮影するデジタルカメラ２２，デジタルカメラ２２が撮影した画像をプリントして写真取出口２７０に排出するプリンタ２７と，これらと接続し自動証明写真機２の動作を制御する撮影制御手段２０を備える。なお，本実施形態に係る自動証明写真機２は，これらの機能に加え，インターネットを利用して通信するためのネットワーク通信機能を備えている。
【００２８】
自動証明写真機２が備えるタッチパネル２３は，液晶ディスプレイなどの表示装置と，指が触れた位置をセンシングする入力装置が一体化されたデバイスである。タッチパネル２３は，自動証明写真機２の撮影制御手段２０から指示された画面を表示し，利用者の指が触れた位置を撮影制御手段２０に通知する。自動証明写真機２が備えるスピーカ２４は，電気信号を音声に変換するデバイスで，撮影制御手段２０から指示された音声データを出力する。自動証明写真機２の貨幣計測機２５は，貨幣投入口２５０より投入された貨幣（紙幣，硬貨）の数を計測する装置で，貨幣計測機２５は，貨幣の計測の開始が撮影制御手段２０から指示されると，貨幣投入口２５０より投入された貨幣を計測し，貨幣の計測結果を撮影制御手段２０に通知する。
【００２９】
自動証明写真機２が備える光源装置２６は，撮影に必要な照明光を発光する装置で，光源装置２６は，撮影制御手段２０から発光の指示を受けると所定の照明光を発光する。自動証明写真機２の光源装置２６としてはストロボスコープが利用されることが多く，自動証明写真機２に設置するストロボスコープの数は複数であってもよい。ストロボスコープを用いる場合，光源装置２６は，照明光となるフラッシュ光を所定回数だけ繰り返し発光する。
【００３０】
自動証明写真機２に設けられたハーフミラー窓２２０は，撮影スペース２ａからの光の一部を透過し，この光の一部を反射する部材であり，自動証明写真機２を利用する申請者６はハーフミラー窓２２０を利用して自身の姿を確認できる。デジタルカメラ２２は，光学レンズと受光素子を有しデジタル画像を撮影する機器で，撮影制御手段２０から撮影の指示を受けると，ハーフミラー窓２２０を透過した光を利用して，撮影スペース２ａの椅子２８に着座した申請者６の顔画像を撮影する。
【００３１】
自動証明写真機２が備えるプリンタ２７は，デジタルカメラ２２が撮影したデジタル画像を写真として印刷する装置で，プリンタ２７の方式としては，インクジェット方式または昇華型熱転写方式などを利用できる。プリンタ２７は，撮影制御手段２０からデジタル画像の印刷指示を受けると，撮影制御手段２０から指示されたデジタル画像を印刷し，印刷した写真を写真排出口に排出する。
【００３２】
自動証明写真機２が備える光学コードリーダ２１は，１次元バーコードや２次元バーコードなどの光学コード画像を光学的に読み取る装置である。光学コードリーダ２１は，撮影制御手段２０から光学コード画像の読み取り指示を受けると，光学コード画像を読み取る動作を行い，光学コード画像にエンコードされているデータを撮影制御手段２０に送信する。
【００３３】
自動証明写真機２の動作を制御する撮影制御手段２０は，プロセッサ，各種メモリおよびストレージなどが実装されたコンピュータボードにより実現される装置である。撮影制御手段２０が有するメモリには，撮影制御手段２０を動作させるコンピュータプログラムが記憶され，撮影制御手段２０は，自動証明写真機２を利用する申請者６が行ったタッチパネル２３の操作に従う処理を実行する。なお，自動証明写真機２が備える撮影制御手段２０の動作については後述する。
【００３４】
次に，電子申請管理装置３について説明する。図４は，電子申請管理装置３が備える機能を説明する図である。電子申請管理装置３は，プロセッサや各種メモリを有し大容量のストレージと接続しているサーバを利用して実現される装置である。
【００３５】
図４で図示したように，電子申請管理装置３は，コンピュータプログラムにより実現される機能として，電子申請による申請手続き（ここでは，受験申請手続き）を管理する電子申請管理手段３０と，電子申請による受験申請手続きを行った申請者６の顔写真画像の登録を管理する顔写真登録管理手段３１を備える。
【００３６】
また，電子申請管理装置３は，ＤＢ（DB: DataBase）として，各種受験申請手続きの電子申請画面を，受験申請手続きの識別に用いる申請手続きＩＤに紐付けて記憶した電子申請画面ＤＢ３２と，電子申請による受験申請手続きを行った申請者６の申請データを電子申請ＩＤに紐付けて記憶する電子申請ＤＢ３３と，受験申請手続きで規定されている写真要件データを申請手続きＩＤに紐付けて記憶する写真要件ＤＢ３４を備える。
【００３７】
ここから，申請者６が電子申請により受験申請手続きを行うときのフローを説明することで，電子申請管理装置３の電子申請管理手段３０と携帯端末４それぞれの動作について詳細に説明し，更に，申請者６が自動証明写真機２を用いて顔写真を撮影するときのフローを説明することで，携帯端末４，電子申請管理装置３の顔写真登録管理手段３１および自動証明写真機２の撮影制御手段２０それぞれの動作について詳細に説明する。
【００３８】
次に，申請者６が電子申請により受験申請手続きを行うときのフローについて説明する。図５は，申請者６が電子申請により受験申請手続きを行うときのフローを説明する図である。電子申請により受験申請手続きを行う際，申請者６は，申請者６が利用できる端末を操作して，電子申請管理装置３の電子申請管理手段３０にアクセスする（Ｓ１）。このステップＳ１で申請者６が操作する端末は任意でよく，申請者６の自宅にあるパーソナルコンピュータでもよいが，ここでは，申請者６が所持する携帯端末４としている。なお，電子申請管理装置３の電子申請管理手段３０にアクセスする時に用いるソフトウェアはブラウザになる。
【００３９】
申請者６が所持する携帯端末４から電子申請管理装置３の電子申請管理手段３０にアクセスがあると，電子申請管理装置３の電子申請管理手段３０は，電子申請管理装置３が対応している受験申請手続きを選択形式で表示する申請手続き選択画面を携帯端末４へ送信する（Ｓ２）。
【００４０】
携帯端末４のブラウザは，申請手続き選択画面が電子申請管理装置３から送信されると，申請手続き選択画面をディスプレイに表示し，申請者６が，携帯端末４を操作して一つの受験申請手続きを申請手続き選択画面で選択すると（Ｓ３），申請者６が選択した受験申請手続きに対応する申請手続きＩＤが，携帯端末４から電子申請管理装置３の電子申請管理手段３０に送信される（Ｓ４）。
【００４１】
電子申請管理装置３の電子申請管理手段３０は，申請者６が選択した受験申請手続きを示す申請手続きＩＤが携帯端末４から送信されると，申請手続きＩＤに紐付けられている電子申請画面を電子申請画面ＤＢ３２から検索し（Ｓ５），申請手続きＩＤに対応する電子申請画面を携帯端末４へ送信する（Ｓ６）。
【００４２】
電子申請管理装置３から送信される電子申請画面には，受験申請手続きで必要な個人データの入力フォームが少なくとも含まれ，申請者６は，携帯端末４を操作して，受験申請手続きで必要な個人データを電子申請画面に入力する（Ｓ７）。申請者６は，受験申請手続きで必要な個人データの入力が完了すると，電子申請画面に表示されている送信ボタンを選択するなどして，電子申請画面に入力した個人データを電子申請管理装置３へ送信する（Ｓ８）。
【００４３】
電子申請管理装置３の電子申請管理手段３０は，個人データが携帯端末４から送信されると，受験申請手続きを行った申請者６と申請者６が行った受験申請手続きを示す電子申請ＩＤを生成した後（Ｓ９），電子申請ＩＤに紐付して，携帯端末４から送信された個人データを電子申請ＤＢ３３に登録する（Ｓ１０）。電子申請ＩＤを生成する手法は任意でよい。例えば，受験申請手続きを行った申請者６に割り振ったＩＤと，申請者６が行った受験申請手続きの申請手続きＩＤを結合させた値を電子申請ＩＤにすることができる。また，電子申請ＩＤを電子申請の受け付け番号とし，受験申請手続きを行った申請者６に割り振ったＩＤと，申請者６が行った受験申請手続きの申請手続きＩＤを電子申請ＩＤに紐付して管理するようにすることもできる。
【００４４】
電子申請管理装置３の電子申請管理手段３０は，個人データ等を電子申請ＤＢ３３に登録すると，電子申請ＩＤをエンコードした光学コード画像を生成し（Ｓ１１），携帯端末４にインストールされているコミュニケーションツールを利用して，光学コード画像を携帯端末４に表示させるデータを含むメッセージを携帯端末４へ送信する（Ｓ１２）。電子申請管理装置３が携帯端末４へ送信するメッセージに光学コード画像そのものを含ませてもよいが，電子申請管理装置３で光学コード画像を記憶し，光学コード画像のＵＲＬをメッセージに含ませてもよい。
【００４５】
携帯端末４は，光学コード画像を携帯端末４に表示させるためのデータを含むメッセージを電子申請管理装置３から受信すると，このメッセージを携帯端末４のメモリに保存して（Ｓ１３），図５のフローは終了する。
【００４６】
次に，申請者６が自動証明写真機２を用いて顔写真を撮影するときのフローについて説明する。図６は，申請者６が自動証明写真機２を用いて顔写真を撮影するときのフローを説明する図である。
【００４７】
自動証明写真機２の撮影制御手段２０は，自動証明写真機２が利用されていないとき，自動証明写真機２のメニュー画面をタッチパネル２３に表示させている。自動証明写真機２のメニュー画面には，申請用顔写真の撮影に係るメニューが含まれている。電子申請管理装置３を利用して電子申請による受験申請手続きを行った申請者６が，自動証明写真機２を用いて顔写真を撮影する際，タッチパネル２３を操作して，自動証明写真機２のメニュー画面の中から申請用顔写真の撮影に係るメニューを選択すると（Ｓ２０），撮影制御手段２０は，顔写真の撮影に係る料金の投入を促す料金画面をタッチパネル２３に表示する（Ｓ２１）。
【００４８】
自動証明写真機２の貨幣計測機２５は，申請者６が貨幣投入口２５０に投入した貨幣を計測し，申請者６が貨幣投入口２５０に投入した貨幣の計測結果を撮影制御手段２０に送信し，撮影制御手段２０は，顔写真の撮影に係る料金の投入が完了したと判定すると（Ｓ２２），光学コードリーダ２１に光学コード画像の読み取り指示を送信して光学コードリーダ２１を作動させると共に，光学コード画像の読み取りに係る画面をタッチパネル２３に表示させる（Ｓ２３）。
【００４９】
申請者６が，電子申請管理装置３から送信された光学コード画像を携帯端末４のディスプレイに表示させて，光学コード画像を光学コードリーダ２１に読み取らせる動作を行うと，自動証明写真機２の光学コードリーダ２１は，携帯端末４に表示されている光学コード画像，すなわち，光学コードリーダ２１にかざされた光学コード画像を検知した後，光学コードリーダ２１にかざされた光学コード画像にエンコードされているデータ（ここでは，電子申請ＩＤ）を読み取る（Ｓ２４）。
【００５０】
自動証明写真機２の光学コードリーダ２１が，光学コードリーダ２１にかざされた光学コード画像にエンコードされている電子申請ＩＤを読み取ると，撮影制御手段２０は，セッションの確立要求を電子申請管理装置３に送信し，自動証明写真機２と電子申請管理装置３間でセッションの確立処理が行われ，自動証明写真機２から電子申請管理装置３へデータ送信が可能になる（Ｓ２５）。
【００５１】
なお，電子申請管理装置３と自動証明写真機２の間におけるセッションの確立にパスワードを必要とするように構成することもできる。この場合，電子申請管理装置３の電子申請管理手段３０は，光学コード画像に加え，光学コード画像を利用するときに用いるパスワードを生成して，光学コード画像と共に携帯端末４に送信しておく。そして，申請者６は，光学コード画像を光学コードリーダ２１に読み取らせる前または後で，自動証明写真機２のタッチパネル２３を利用してパスワードを入力し，電子申請管理装置３は，自動証明写真機２から送信されたパスワードの照合に成功したときのみ，電子申請管理装置３と自動証明写真機２の間におけるセッションを確立する。
【００５２】
自動証明写真機２と電子申請管理装置３間のセッションが確立すると，自動証明写真機２の撮影制御手段２０は，ネットワーク５を介して，光学コードリーダ２１が読み取った電子申請ＩＤを電子申請管理装置３の顔写真登録管理手段３１へ送信する（Ｓ２６）。
【００５３】
電子申請管理装置３の顔写真登録管理手段３１は，電子申請ＩＤが自動証明写真機２から送信されると，電子申請ＩＤで示される申請手続きの申請手続きＩＤに紐付けられている写真要件データを写真要件ＤＢ３４から検索することで，申請者６が行った受験申請手続きに対応する写真要件データを検索し（Ｓ２７），ネットワーク５を介して，申請者６が行った受験申請手続きに対応する写真要件データを自動証明写真機２へ送信する（Ｓ２８）。
【００５４】
自動証明写真機２の撮影制御手段２０は，写真要件データが電子申請管理装置３から送信されると，デジタルカメラ２２を作動させて，写真要件データを全て満たす顔写真画像を撮影する処理を開始する（Ｓ２９）。
【００５５】
図７は，写真要件データを全て満たす顔写真画像を撮影する処理を説明する図である。自動証明写真機２の撮影制御手段２０は，デジタルカメラ２２を作動させて画像を撮影する前に，写真要件データにサイズ要件が含まれているか確認する（Ｓ２９０）。写真要件データのサイズ要件にサイズ要件が含まれている場合，自動証明写真機２の撮影制御手段２０は，撮影する画像のサイズをサイズ要件で示される画像サイズに設定する（Ｓ２９１）。
【００５６】
次に，自動証明写真機２の撮影制御手段２０は，写真要件データに顔画像要件が含まれているか確認する（Ｓ２９２）。写真要件データに顔画像要件が含まれる場合，撮影制御手段２０は，顔写真画像を撮影する前に，顔画像要件に含まれる撮影時の要件の内容を画像や音声により申請者６に通知する（Ｓ２９３）。例えば，「無帽」が顔画像要件に含まれる場合，撮影制御手段２０は，「無帽」に係る指示（例えば，「帽子を脱いで下さい。」）を画像や音声により申請者６に通知する。また，「正面顔」が顔画像要件に含まれる場合，撮影制御手段２０は，「正面顔」に係る指示（例えば，「正面を向いて下さい。」）を画像や音声により申請者６に通知する。
【００５７】
次に，自動証明写真機２の撮影制御手段２０は，デジタルカメラ２２を利用して顔写真画像を撮影し（Ｓ２９４），写真要件データに顔画像要件が含まれる場合，撮影制御手段２０は，デジタルカメラ２２を利用して撮影した顔写真画像から顔画像を検出し，顔写真画像から検出した顔画像が顔画像要件を満たしているか否かを判定する処理を実行する（Ｓ２９５）。
【００５８】
例えば，写真要件データの顔画像要件に「正面顔」が含まれる場合，撮影制御手段２０は，顔写真画像から検出した顔画像の向きから，顔写真画像から検出した顔画像が正面顔であるか否かを判定する。更に，パターンマッチング技術を用いれば，帽子の有無や装飾品の有無を判定できる。加えて，顔写真画像から検出した顔画像が顔画像要件を全て満たしていない場合，満たしていない顔画像要件の内容を画像や音声により申請者６に通知し，顔写真画像の撮影をやり直すようにも構成できる。また，顔画像要件に「装飾品の禁止」が含まれる場合，撮影制御手段２０は，デジタルカメラ２２が撮影した顔写真画像から装飾品があると判断した場合，「装飾品の禁止」に係る指示（例えば，「装飾品を外して下さい。」）を画像や音声により申請者６に通知する。
【００５９】
更に，写真要件データの顔画像要件に「顔画像のサイズ」が含まれる場合，撮影制御手段２０は，デジタルカメラ２２が撮影している画像に含まれる顔画像のサイズが，写真要件データの顔画像要件に含まれる「顔画像のサイズ」で示される範囲に収まっているか否かを判定する。デジタルカメラ２２が撮影している画像に含まれる顔画像のサイズが，写真要件データの顔画像要件に含まれる「顔画像のサイズ」で示される範囲に収まっていない場合，撮影制御手段２０が，デジタルカメラ２２の撮影倍率等を自動調整して，顔写真画像の撮影をやり直すように構成することができる。
【００６０】
自動証明写真機２の撮影制御手段２０は，顔写真画像の判定結果を確認し（Ｓ２９６），デジタルカメラ２２を利用して撮影した顔写真画像が写真要件データの顔画像要件を全て満たしていない場合，この手順の先頭に戻り，顔写真画像の撮影を再実行する。自動証明写真機２の撮影制御手段２０は，デジタルカメラ２２を利用して撮影した顔写真画像が写真要件データの顔画像要件を全て満たしていると判定すると，写真要件データにメタデータ要件が含まれているか確認し（Ｓ２９７），写真要件データにメタデータ要件が含まれている場合，自動証明写真機２の撮影制御手段２０は，写真要件データのメタデータ要件で示されるメタデータを顔写真画像に付加する処理を実行して（Ｓ２９８），図７の手順は終了する。
【００６１】
写真要件データのメタデータ要件に，撮影日時を顔写真画像に付加する要件がある場合，自動証明写真機２の撮影制御手段２０は，顔写真画像を撮影したときの日時を顔写真画像に付加する。また，写真要件データのメタデータ要件に，顔写真画像に含まれる顔の特徴量を顔写真画像に付加する要件が有る場合，自動証明写真機２の撮影制御手段２０は，顔写真画像から検出した顔の特徴量を顔写真画像に付加する。なお，メタデータ要件で示されるメタデータは，顔写真画像のファイルに付加させることもできるが，電子透かしの技術を利用して顔写真画像に埋め込むことが望ましい。
【００６２】
図６の説明に戻る。自動証明写真機２の撮影制御手段２０は，申請者６が行った受験申請手続きで規定されている写真要件データを満たす顔写真画像の撮影が完了すると，顔写真画像を電子申請管理装置３へ送信する（Ｓ３０）。
【００６３】
電子申請管理装置３の顔写真登録管理手段３１は，自動証明写真機２から顔写真画像が送信されると，写真要件データを送信した自動証明写真機２から送信された電子申請ＩＤに紐付けして，自動証明写真機２から送信された顔写真画像を電子申請ＤＢ３３に登録した後（Ｓ３１），セッションの終了処理を実行して（Ｓ３２），図６の手順は終了する。図６の手順が終了することで，申請者６の受験申請手続きに対応する電子申請ＩＤに紐付された状態で，受験申請手続きを行った申請者６の個人データと，申請者６が行った受験申請手続きで規定されている写真要件データを全て満たす顔写真画像が，電子申請管理装置３の電子申請ＤＢ３３に登録されることになる。
【００６４】
本実施形態に係る電子申請システム１によると，申請者６が光学コード画像を自動証明写真機２に読み取らせることにより，対応する写真要件データを取得することで申請手続の要件に適合した顔写真を容易に撮影することができる。写真要件データに顔画像要件が含まれている場合は，撮影した顔写真画像を用いて写真要件データと比較して判定し，申請者６に対して通知することで，申請者６は撮影した顔写真画像が要件を満たしているか否かを容易に認識することができる。また，撮影された顔写真画像に撮影日時や顔写真画像に含まれる顔の特徴量を含ませることで，入試会場において顔写真を用いた本人照合などに利用できるようになる。メタデータは電子透かしとして顔写真画像に埋め込むことにより，例えば専用端末で顔写真画像を撮影するだけでメタデータを入手し，本人照合に利用することができる。
【符号の説明】
【００６５】
１    電子申請システム
２    自動証明写真機
２０  撮影制御手段
２１  光学コードリーダ
２２  デジタルカメラ
３    電子申請管理装置
３０  電子申請管理手段
３１  顔写真登録管理手段
３２  電子申請画面ＤＢ
３３  電子申請ＤＢ
３４  写真要件ＤＢ
４    携帯端末
【図１】
2019061576.tif 000003
【図２】
2019061576.tif 000004
【図３】
2019061576.tif 000005
【図４】
2019061576.tif 000006
【図５】
2019061576.tif 000007
【図６】
2019061576.tif 000008
【図７】
2019061576.tif 000009